(57)【要約】【課題】  アイコン選択時の視認性を悪化させることなく、アイコン設定の自由度を向上させることのできる移動通信端末を提供する。【解決手段】  携帯電話機において選択画面などにアイコン表示を行なう際、アイコン画像と、そのアイコン画像の示す項目の内容を表わすメニュー項目画像とを対にして表示する。アイコン画像として任意の画像を設定可能であり、アイコン画像はユーザによってカスタマイズ可能である。このアイコン画像に対にしてメニュー項目画像を配置し、メニュー項目画像は、ユーザによってカスタマイズ不可能に固定されていて、アイコン選択時にメニュー項目によって選択されたことを意味する表示を行なう。【選択図】        図４
2005117452.tif 000002
【特許請求の範囲】
【請求項１】
書替え不可能な記憶領域に第１の画像を格納する第１の格納手段と、
ユーザによって書替え可能な領域に第２の画像を格納する第２の格納手段と、
前記第１の画像と前記第２の画像とを含んでなる選択肢表示を生成する表示処理手段とを備える、移動通信端末。
【請求項２】
前記第１の画像は、前記選択肢の内容を具体的に表わす画像であって、前記選択肢が選択状態にあることを表わす選択時の画像と、前記選択肢が非選択状態にあることを表わす非選択時の画像とを含んで構成され、
前記第２の画像は、前記選択肢の内容を視覚的に表わすアイコン画像である、請求項１に記載の移動通信端末。
【請求項３】
前記選択肢の表示位置に対応させた、前記第２の画像とする画像の選択を入力する指示入力手段をさらに備え、
前記表示処理手段は、前記指示入力手段によって選択された前記第２の画像を用いて前記選択肢表示を生成する、請求項１または２に記載の移動通信端末。
【請求項４】
書替え不可能な記憶領域から第１の画像を取得する第１の画像取得ステップと、
ユーザによって書替え可能な領域から第２の画像を取得する第２の画像取得ステップと、
前記第１の画像と前記第２の画像とを含んでなる選択肢表示を生成する表示処理ステップとを備える、移動通信端末における表示方法。
【請求項５】
前記第１の画像は、前記選択肢の内容を具体的に表わす画像であって、前記選択肢が選択状態にあることを表わす選択時の画像と、前記選択肢が非選択状態にあることを表わす非選択時の画像とを含んで構成され、
前記第２の画像は、前記選択肢の内容を視覚的に表わすアイコン画像である、請求項４に記載の移動通信端末における表示方法。
【請求項６】
前記選択肢の表示位置に対応させた、前記第２の画像とする画像の選択を入力する指示入力ステップをさらに備え、
前記第２の画像取得ステップは、前記指示入力ステップによって選択された画像を前記第２の画像として取得する、請求項４または５に記載の移動通信端末における表示方法。
【発明の詳細な説明】
【技術分野】
【０００１】
移動通信端末、および移動通信端末における表示方法に関し、特に、最適なアイコン表示を行なうことのできる移動通信端末、および移動通信端末における表示方法に関する。
【背景技術】
【０００２】
従来、携帯電話機においては、メニュー画面のアイコンをアニメーションを表現できるＧＩＦ（Graphics Interchange Format）形式の画像データを用いて構成することで、該アイコンが選択されたときに、非選択時とは異なるアニメーションで表示して、選択状態であることの視認性を向上させている。
【０００３】
また、近年、メニュー画面のアイコンをユーザが任意に設定できるようにし、ユーザによるアイコンのカスタマイズを可能にした携帯電話機も提案されている。たとえば特許文献１に、そのような構成の移動体通信機器が開示されている。
【特許文献１】特開２００２−２２９７０５号公報
【発明の開示】
【発明が解決しようとする課題】
【０００４】
しかしながら、特許文献１に開示されているようなユーザによるアイコンのカスタマイズを可能にした携帯電話機では、アニメーションを表現できるＧＩＦ形式の画像データ以外をアイコンとして設定した場合に、該アイコンが選択状態であるか非選択状態であるかの視認性が悪くなるという問題があった。
【０００５】
本発明はこのような問題に鑑みてなされたものであって、アイコン選択時の視認性を悪化させることなく、アイコン設定の自由度を向上させることのできる移動通信端末、および移動通信端末における表示方法を提供することを目的とする。
【課題を解決するための手段】
【０００６】
上記目的を達成するために、本発明のある局面に従うと、移動通信端末は、書替え不可能な記憶領域に第１の画像を格納する第１の格納手段と、ユーザによって書替え可能な領域に第２の画像を格納する第２の格納手段と、第１の画像と第２の画像とを含んでなる選択肢表示を生成する表示処理手段とを備える。
【０００７】
さらに、第１の画像は、選択肢の内容を具体的に表わす画像であって、選択肢が選択状態にあることを表わす選択時の画像と、選択肢が非選択状態にあることを表わす非選択時の画像とを含んで構成され、第２の画像は、選択肢の内容を視覚的に表わすアイコン画像であることが好ましい。
【０００８】
また、移動通信端末は、選択肢の表示位置に対応させた、第２の画像とする画像の選択を入力する指示入力手段をさらに備え、表示処理手段は、指示入力手段によって選択された第２の画像を用いて選択肢表示を生成することが好ましい。
【０００９】
本発明の他の局面に従うと、移動通信端末における表示方法は、書替え不可能な記憶領域から第１の画像を取得する第１の画像取得ステップと、ユーザによって書替え可能な領域から第２の画像を取得する第２の画像取得ステップと、第１の画像と第２の画像とを含んでなる選択肢表示を生成する表示処理ステップとを備える。
【００１０】
さらに、第１の画像は、選択肢の内容を具体的に表わす画像であって、選択肢が選択状態にあることを表わす選択時の画像と、選択肢が非選択状態にあることを表わす非選択時の画像とを含んで構成され、第２の画像は、選択肢の内容を視覚的に表わすアイコン画像であることが好ましい。
【００１１】
また、移動通信端末における表示方法は、選択肢の表示位置に対応させた、第２の画像とする画像の選択を入力する指示入力ステップをさらに備え、第２の画像取得ステップは、指示入力ステップによって選択された画像を第２の画像として取得することが好ましい。
【発明を実施するための最良の形態】
【００１２】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１３】
図１は、本実施の形態にかかる携帯電話機１００の機能構成の具体例を示すブロック図である。
【００１４】
図１を参照して、本実施の形態にかかる携帯電話機１００は、ＬＣＤ（Liquid Crystal Display）等によりユーザに提示する情報を表示する表示部１４と、通話データやテキストデータなどの送受信を行なうための通信部４と、画像データなどを格納するための脱着が可能なメモリカード２と、メモリカード２とデータの授受を行なうためのメモリカード読出し／書込み部２６と、画像データ６１を不揮発的に格納するためのフラッシュメモリ６と、ＲＯＭ（Read Only Memory）の所定領域で構成されて画像データを格納するための画像データメモリ８と、ＲＡＭ（Random Access Memory）の所定領域で構成されて画像データを格納するための画像データメモリ９と、ＲＡＭの所定領域で構成されてフラグを格納するためのフラグ用メモリ２２と、ＲＯＭとＲＡＭとの所定領域で構成されてテーブルを格納するためのテーブル用メモリ２３と、ユーザがキー操作等により指示入力を行なうための指示入力部１２と、通話時にマイク２８ａから入力される音声信号とスピーカ２８ｂに出力される音声信号とを処理するための音声信号処理部２８と、携帯電話機１００の動作を制御するための制御部１０と、ＲＯＭの所定領域で構成されて制御部１０で実行されるプログラムを格納するためのプログラム用メモリ２５とを備える。
【００１５】
さらに、制御部１０は、フラッシュメモリ６または画像データメモリ８または画像データメモリ９などから画像データを取得するための画像取得部２４と、画像取得部２４で取得された画像をアイコン用画像としてフラグに登録するための登録処理部１８と、登録されたアイコン用画像を用いてアイコンを構成して、画面の表示処理を行なうための表示処理部１６とを含む。
【００１６】
なお、上述のＲＡＭの所定領域で構成される画像データメモリ９やフラグ用メモリ２２やテーブル用メモリ２３としては、特にＲＡＭに限定されず、高速に読出し、書込みが可能なメモリであれば他の形態のメモリであってもよい。たとえば、ＳＲＡＭ（Static Random Access Memory）が用いられてもよい。また、フラッシュメモリ６は、不揮発性のメモリであればよく、たとえば、書換え可能な不揮発性のＲＯＭ、または、不揮発性のＲＡＭが用いられてもよい。
【００１７】
ユーザの選択に基づいて、通信部４を介してダウンロードされた、または、メモリカード２から読込まれた画像データは、一旦、フラッシュメモリ６の所定領域や、ＲＡＭの所定領域で構成される画像データメモリ９に保存される。
【００１８】
画像取得部２４は、指示入力部１２から入力されるユーザ指示にしたがって所定の画像データの格納場所（アドレス）をフラッシュメモリ６または画像データメモリ８または画像データメモリ９から取得し、その情報を登録処理部１８に渡す。
【００１９】
登録処理部１８は、画像取得部２４から渡された画像データのアドレスを、テーブル用メモリ２３に格納されているテーブルに記載する。また、フラグ用メモリ２２に格納されているフラグを更新する。
【００２０】
表示処理部１６は、指示入力部１２から入力されるユーザ指示にしたがって所定のアイコンを表示部１４に表示させるために、フラグ用メモリ２２に格納されているフラグを参照し、フラグに応じた画像データのアドレスをテーブル用メモリ２３に格納されているテーブルから読出す。さらに、アイコンを表示させるために必要な画像データを取得するために、画像取得部２４に画像データのアドレスを渡して該画像データの取得を要求する。そして、画像取得部２４から取得したアイコン用画像データとメニュー項目用画像データとを用いて、アイコンを表示部１４に表示させるための表示処理を行ない、表示用のデータを表示部１４に渡す。
【００２１】
さらに、図２に、ＲＯＭの所定領域で構成される画像データメモリ８に格納される画像データの具体例を示す。図２を参照して、画像データメモリ８には、アイコン用の画像データである複数のアイコン用画像データ８１．１〜８１．ｎと、メニュー項目用の画像データである複数のメニュー項目用画像データ８２．１〜８２．ｍとが格納される。画像データメモリ８はＲＯＭで構成されるため、ユーザによる書込みは不可能な領域である。
【００２２】
なお、ここでのアイコンとは、たとえば携帯電話機１００において各種設定を行なう際、設定用の画面を表示部１４に表示させ、該画面において、設定項目の内容を視覚的に表わす画像を言う。アイコン用画像データとしては、ビットマップ形式の静止画の画像データや、ＧＩＦ（Graphics Interchange Format）形式のアニメーションの画像データなどが該当する。また、アイコンは、該アイコンで表わされる項目が選択された場合、アイコン用画像として複数の静止画の画像からなる画像データが設定されていたときには、非選択時用の画像データ（たとえば１枚目）から選択時用の画像データ（２枚目から３枚目）に表示を変化させ、選択されていることがわかるように表示されてもよい。また、選択状態から非選択状態になった場合には、表示を上述と逆に変化させ、非選択状態になったことが分かるように表示されてもよい。
【００２３】
また、メニュー項目画像とは、アイコンと対になって該アイコンと共に（本実施の形態ではアイコンのすぐ下に）表示される、該アイコンが表わす項目の内容を具体的に表わす画像を言う。メニュー項目用画像データとしては、ビットマップ形式の静止画の画像データが該当し、少なくとも、選択状態であることを示す選択時用の画像データと、非選択状態であることを示す非選択時用の画像データとを含む。メニュー項目用画像データの内容としては、たとえば、その項目がメールを表示させる項目である場合には、その旨を示すアイコンと共に表示される「メール表示」などの文字を表わすビットマップ形式の静止画が該当し、該項目が選択状態にあることを示すカラフルな静止画と、非選択状態にあることを示すモノトーンの静止画とを含む場合などが具体的に挙げられる。
【００２４】
さらに、図３に、ＲＡＭの所定領域で構成される画像データメモリ９に格納される画像データの具体例を示す。図３を参照して、画像データメモリ９にも、画像データメモリ８と同様に、複数のアイコン用画像データ９１．１〜９１．ｎが格納される。画像データメモリ９は、ユーザによって書込み可能であるので、ここには、メモリカード２や通信部４などを介してユーザから入力された画像データがアイコン用画像データとして格納される。
【００２５】
ここで、表示部１４に表示されるアイコンを含む画面の具体例を図４に示す。図４に示される画面は、たとえば、各種設定を行なうための設定用の画面などが該当する。
【００２６】
図４に示されるように、アイコンを含む画面においては、予め定められた座標Ｐ，Ｑ，Ｒ，Ｓに応じたアイコン１〜４と、該アイコンに対応したメニュー項目１〜４とが表示される。ユーザは、この画面において、指示入力部１２に含まれるスクロールキー（不図示）などを用いてアイコン１〜４のいずれかを選択することで、該アイコンの表わす項目を以降の処理に用いる項目（たとえば設定項目）として選択することができる。
【００２７】
本実施の形態においては、このアイコンがユーザに設定可能に構成されており、所望する任意のアイコン用画像データをそのアイコンとして表示させることが可能である。そこで、図５を用いて、本実施の形態にかかる携帯電話機１００において任意の画像データをアイコンに設定するアイコン設定処理を説明する。図５のフローチャートに示される処理は、制御部１０がプログラム用メモリ２５に格納されるプログラムを読出して実行することで実現される。
【００２８】
図５を参照して、始めに、指示入力部１２において、ユーザによってアイコンを設定する項目が選択され、その指示信号が指示入力部１２から制御部１０に入力される（Ｓ１０１）。また、アイコンに設定する画像データが指定され、その指示信号も指示入力部１２から制御部１０に入力される（Ｓ１０３）。
【００２９】
ステップＳ１０１およびステップＳ１０３で入力された指示信号に応じて、登録処理部１８においては、テーブル用メモリ２３に格納されているテーブルと（Ｓ１０５）、フラグ用メモリ２２に格納されているフラグと（Ｓ１０７）とが更新される。
【００３０】
フラグ用メモリ２２に格納されているフラグは、予め定められているアイコンを表示する位置である座標ごとに、該アイコンに設定するアイコン用画像データを、どのメモリから取得するかを示している。具体的には、たとえば、フラグ０が画像データメモリ８上のアイコン用画像データを取得することを示し、フラグ１が画像データメモリ９上のアイコン用画像データを取得することを示している。
【００３１】
テーブル用メモリ２３に格納されているテーブルには、各項目ごとに、フラグに対応してアイコンとするアイコン用画像データのアドレスが記載されている。具体的には、画像データメモリ８上（ＲＯＭ）のアイコン用画像データを取得することを示すフラグ０に対応したアイコン用画像データのアドレスは、書替え不可なＲＯＭの所定領域で構成されるテーブル用メモリ２３に格納されているテーブルに記載されており、画像データメモリ９上（ＲＡＭ）のアイコン用画像データを取得することを示すフラグ１に対応したアイコン用画像データのアドレスは、書替え可能なＲＡＭの所定領域で構成されるテーブル用メモリ２３に格納されているテーブルに記載されている。また、アイコンごとに、該アイコンに対応したメニュー項目用画像データの画像データメモリ８上（ＲＯＭ）のアドレスが、書替え不可なＲＯＭの所定領域で構成されるテーブル用メモリ２３に格納されているテーブルに記載されている。
【００３２】
より具体的には、たとえば、ある項目について、フラグ０に対応して画像データメモリ８上のアドレスＡＡＡＡＡＡＡＡがＲＯＭの所定領域で構成されるテーブル用メモリ２３に格納されているテーブル記載されており、フラグ１に対応して画像データメモリ９上のアドレスＢＢＢＢＢＢＢＢがＲＡＭの所定領域で構成されるテーブル用メモリ２３に格納されているテーブルに記載されている。ステップＳ１０５においては、フラグ０に対応するアイコン用画像データのアドレスは書替えられず、フラグ１に対応するアイコン用画像データのアドレスが必要に応じて書替えられる。
【００３３】
以上で本実施の形態にかかる携帯電話機１００におけるアイコン設定処理を終了する。
【００３４】
次に、図６を用いて、本実施の形態にかかる携帯電話機１００においてアイコンを含む画面を表示部１４に表示させる表示処理を説明する。図６のフローチャートに示される処理もまた、制御部１０がプログラム用メモリ２５に格納されるプログラムを読出して実行することで実現される。
【００３５】
図６を参照して、始めに、制御部１０において、アイコンを表示させる表示部１４上の座標が取得され（Ｓ２０１）、表示処理部１６において、フラグ用メモリ２２より、ステップＳ２０１で取得された座標に対応するフラグが参照される（Ｓ２０３）。
【００３６】
ステップＳ２０３で参照した結果、該アイコンに設定されているアイコン用画像データを画像データメモリ８（ＲＯＭ）から取得する場合には（Ｓ２０５でＹＥＳ）、ＲＯＭの所定領域で構成されるテーブル用メモリ２３に格納されているテーブルからそのフラグに対応した画像データメモリ８上のアドレスが取得されて、画像データメモリ８上の該アドレスに存在するアイコン用画像データが読込まれる（Ｓ２０７）。
【００３７】
一方、ステップＳ２０３で参照した結果、該アイコンに設定されているアイコン用画像データを画像データメモリ９（ＲＡＭ）から取得する場合には（Ｓ２０５でＮＯ）、ＲＡＭの所定領域で構成されるテーブル用メモリ２３に格納されているテーブルからそのフラグに対応した画像データメモリ９上のアドレスが取得されて、画像データメモリ９上の該アドレスに存在するアイコン用画像データが読込まれる（Ｓ２０９）。
【００３８】
さらに、ＲＯＭの所定領域で構成されるテーブル用メモリ２３に格納されているテーブルから画像データメモリ８（ＲＯＭ）上のアドレスが取得されて、そのアイコンに対応したメニュー項目用画像データが読込まれる（Ｓ２１１）。
【００３９】
そして、ステップＳ２０７またはステップＳ２０９で読込まれたアイコン用画像データからアイコン画像と、ステップＳ２１１で読込まれたメニュー項目用画像データからメニュー項目用画像とが対になって、所定の位置に表示される（Ｓ２１３）。
【００４０】
以上で本実施の形態にかかる携帯電話機１００における表示処理を終了する。
【００４１】
このように、本実施の形態にかかる携帯電話機１００においては、アイコンに設定されるアイコン用画像データが画像データメモリ８に格納されているアイコン用画像データであるか、画像データメモリ９に格納されているアイコン用画像データかは、フラグ用メモリ２２に格納されているフラグによって示される。さらに、アイコン用画像データがいずれかのメモリのうちのどのアドレスに存在するかは、テーブル用メモリ２３に格納されているテーブルによって示される。
【００４２】
さらに、該アイコンと共に表示されるメニュー項目用画像が画像データメモリ８のどのアドレスに存在するかは、該アイコンに対応して、テーブル用メモリ２３に格納されているテーブルによって示される。
【００４３】
そこで、本実施の形態にかかる携帯電話機１００において上述のアイコン設定処理および表示処理がなされることで、図７に示されるようなアイコンの設定が可能になる。すなわち、図７を参照して、あるアイコン１について、その表示位置である座標Ｐに対応させて、任意のアイコン用画像が設定可能となる。そのうちの少なくとも１つのアイコン用画像は、画像データメモリ８に格納されている、予め設定されたアイコン用画像データに基づく画像であり、他のアイコン用画像は、上述のアイコン設定処理を行なって設定可能な画像データメモリ９またはフラッシュメモリ６に格納されているアイコン用画像データに基づく画像である。
【００４４】
さらに、本実施の形態にかかる携帯電話機１００では、アイコン用画像は任意に設定可能であるが、該アイコンと共に表示されるメニュー項目用画像は、書替え不可のＲＯＭにおいて該アイコンに対応付けて設定されている。このため、ユーザが上述のアイコン設定処理において、その項目が選択状態か非選択状態かを表わすことができない静止画をアイコンとして設定した場合であっても、メニュー項目用画像は、選択時と非選択時とが異なる画像に設定されて、ユーザによって変更不可に構成されているため、その項目が選択状態であるか非選択状態であるかをメニュー項目用画像によって表わすことができる。つまり、本実施の形態にかかる携帯電話機１００では、ユーザが任意に設定のできるアイコンに対して、ユーザが任意に設定できない表示（メニュー項目用画像）を設けることで、その表示でかかる項目が選択されたことが表わされる。このような構成によって、ユーザによるアイコン設定の自由度を向上しつつ、アイコン選択時の視認性の悪化を効果的に防止することができる。
【００４５】
なお、上述の実施の形態においては、たとえば、各種設定を行なうための設定用の画面などのアイコンを含む画面での表示について説明したが、同様のアイコン設定処理および表示処理を、たとえば「ＹＥＳ」、「ＮＯ」などのアイコン画像と共に表示される選択肢の表示に対しても行なうことができる。
【００４６】
さらに、ユーザが任意に設定のできるアイコンに対して設けられるユーザが任意に設定できない表示として、該アイコンが表わす項目の内容を示す画像であるメニュー項目画像を具体的に挙げたが、メニュー項目画像に替えて、またはメニュー項目画像と共に、該項目の詳細な内容等を説明する画像が表示されてもよい。
【００４７】
また、上述の実施の形態においては、フラグ用メモリ２２に格納されているフラグと、テーブル用メモリ２３に格納されているテーブルとを用いてアイコン設定処理および表示処理を実行するものとしたが、テーブル用メモリ２３に格納されているテーブルのみを用いて実行してもよい。この場合のテーブルの具体例を図８に示す。
【００４８】
図８を参照して、この場合、具体的には、アイコン設定処理において、登録処理部１８は、アイコンとして設定されるアイコン用画像を、該アイコンの表示位置である座標ごとに特定してテーブルに書込む。図８においてはＧＩＦ  Ａ１〜ＧＩＦ  Ｃ１が該当する。また、該アイコンに対応したメニュー項目画像は、予めテーブルの書替え不可な領域に記載されている。図８においては、ＢＭＰ  Ａ１〜ＢＭＰ  Ｃ２が該当する。
【００４９】
この場合、図６に示される表示処理のステップＳ２０３において、表示処理部１６は、フラグに替えて図８に示されるテーブルを参照し、該テーブルにおいて特定される画像データを読込んで表示させる。
【００５０】
このようにしても、同様に、ユーザによるアイコン設定の自由度を向上しつつ、アイコン選択時の視認性の悪化を効果的に防止することができる。
【００５１】
さらに、上述の携帯電話機１００で実行されるアイコン設定方法および表示方法を、プログラムとして提供することもできる。このようなプログラムは、コンピュータに付属するフレキシブルディスク、ＣＤ−ＲＯＭ（Compact Disc-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００５２】
提供されるプログラム製品は、ハードディスクなどのプログラム格納部にインストールされて実行される。なお、プログラム製品は、プログラム自体と、プログラムが記録された記録媒体とを含む。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５４】
【図１】本実施の形態にかかる携帯電話機１００の機能構成の具体例を示すブロック図である。
【図２】ＲＯＭの所定領域で構成される画像データメモリ８に格納される画像データの具体例を示す図である。
【図３】ＲＡＭの所定領域で構成される画像データメモリ９に格納される画像データの具体例を示す図である。
【図４】表示部１４に表示されるアイコンを含む画面の具体例を示す図である。
【図５】本実施の形態にかかる携帯電話機１００でのアイコン設定処理を示すフローチャートである。
【図６】本実施の形態にかかる携帯電話機１００での表示処理を示すフローチャートである。
【図７】アイコンの設定を説明する図である。
【図８】テーブルの他の具体例を示す図である。
【符号の説明】
【００５５】
２  メモリカード、４  通信部、６  フラッシュメモリ、８，９  画像データメモリ、１０  制御部、１２  指示入力部、１４  表示部、１６  表示処理部、１８  登録処理部、２２  フラグ用メモリ、２３  テーブル用メモリ、２４  画像取得部、２５  プログラム用メモリ、２６  メモリカード読出し／書込み部、２８  音声信号処理部、２８ａ  マイク、２８ｂ  スピーカ、６１，８１，９１  アイコン用画像データ、８２  メニュー項目用画像データ。
【図１】
2005117452.tif 000003
【図２】
2005117452.tif 000004
【図３】
2005117452.tif 000005
【図４】
2005117452.tif 000006
【図５】
2005117452.tif 000007
【図６】
2005117452.tif 000008
【図７】
2005117452.tif 000009
【図８】
2005117452.tif 000010